(57)【要約】【課題】 ドット反転駆動を実行する液晶表示装置及びその駆動方法を提供する。【解決手段】  本発明に係る液晶表示装置は、映像をディスプレーするための画素と、前記画素に走査信号を供給するための走査ラインと、前記走査ラインと交差し、前記画素にデータ信号を供給するためのデータラインと、前記画素に共通電圧を供給するための共通電極ラインと、前記走査ラインと平行であり、ドット反転駆動を実行するためのストレージラインと、を含むことを特徴とする。【選択図】  図１
2006235572.tif 000002
【特許請求の範囲】
【請求項１】
映像をディスプレーするための画素と、
前記画素に走査信号を供給するための走査ラインと、
前記走査ラインと交差し、前記画素にデータ信号を供給するためのデータラインと、
前記画素に共通電圧を供給するための共通電極ラインと、
前記走査ラインと平行であり、ドット反転駆動を実行するためのストレージラインと、を含むことを特徴とする液晶表示装置。
【請求項２】
前記画素は、前記走査信号によってオン/オフ動作が実行され、第１の電極を通じて前記データ信号を受信するための薄膜トランジスターと、
前記薄膜トランジスタの第２の電極と前記ストレージラインとに連結され、前記データ信号を保存するためのストレージキャパシタと、
前記薄膜トランジスタの第２の電極に連結された画素電極と共通電極との間に介在された液晶と、を含むことを特徴とする請求項１に記載の液晶表示装置。
【請求項３】
前記ストレージラインを通じて印加されるストレージ電圧は、前記映像の１フレームを周期としてハイレベル及びローレベルを繰り返すことを特徴とする請求項２に記載の液晶表示装置。
【請求項４】
前記共通電圧は、前記映像の１フレームの周期の間に一定のレベルを維持することを特徴とする請求項３に記載の液晶表示装置。
【請求項５】
前記データ信号は、前記映像の１フレームを周期としてレベルの遷移を繰り返すことを特徴とする請求項３に記載の液晶表示装置。
【請求項６】
前記ストレージラインに連結された画素のストレージキャパシタは、前記画素の上下に配置された２個のストレージラインに交互に連結されることを特徴とする請求項５に記載の液晶表示装置。
【請求項７】
走査ラインに連結されたゲートと、データラインに連結された第１の電極及びチャンネルを通じて前記データラインに印加されたデータ信号を受信するための第２の電極と、を有する薄膜トランジスタと、
前記薄膜トランジスタの第２の電極に連結された画素電極と共通電極ラインの共通電極との間に介在された液晶と、
前記薄膜トランジスタの第２の電極とストレージラインとに連結され、前記データ信号を保存するためのストレージキャパシタと、を含むことを特徴とする液晶表示装置。
【請求項８】
前記ストレージラインを通じて印加されるストレージ電圧は、映像の１フレームを周期としてハイレベル及びローレベルを繰り返すことを特徴とする請求項７に記載の液晶表示装置。
【請求項９】
前記共通電極に印加される共通電圧は、前記映像の１フレームの周期の間に一定のレベルを維持することを特徴とする請求項８に記載の液晶表示装置。
【請求項１０】
前記データ信号は、前記映像の１フレームを周期としてレベルの遷移を繰り返すことを特徴とする請求項８に記載の液晶表示装置。
【請求項１１】
薄膜トランジスタをターン−オンして、データラインを通じて伝達される第１のデータ電圧をストレージキャパシタに第１の画素電圧として保存することと、
前記薄膜トランジスタをターン−オフして、共通電極ラインとは別に具備されたストレージラインを通じて伝達される第１のストレージ電圧によって前記第１の画素電圧を上昇させることと、
前記薄膜トランジスタをターン−オンして、前記データラインを通じて伝達される第２のデータ電圧を前記ストレージキャパシタに第２の画素電圧として保存することと、
前記薄膜トランジスタをターン−オフして、前記ストレージラインを通じて伝達される第２のストレージ電圧によって前記第２の画素電圧を下降させることと、を含むことを特徴とする液晶表示装置の駆動方法。
【請求項１２】
前記第１のデータ電圧は、前記第２のデータ電圧より高いレベルを有することを特徴とする請求項１１に記載の液晶表示装置の駆動方法。
【請求項１３】
前記第１のストレージ電圧は、前記第２のストレージ電圧より高いレベルを有することを特徴とする請求項１２に記載の液晶表示装置の駆動方法。
【請求項１４】
前記第１のストレージ電圧によって前記第１の画素電圧を上昇させた後に、前記上昇された第１の画素電圧を維持することをさらに含むことを特徴とする請求項１３に記載の液晶表示装置の駆動方法。
【請求項１５】
前記第１のストレージ電圧によって前記第１の画素電圧を上昇させることは、前記薄膜トランジスタをターンーオフさせることと、
前記ストレージキャパシタに保存された電荷を再配置することと、
前記再配置された電荷を保存するストレージキャパシタに前記第１のストレージ電圧を印加することと、を含むことを特徴とする請求項１３に記載の液晶表示装置の駆動方法。
【請求項１６】
前記第２のストレージ電圧によって前記第２の画素電圧を下降させることは、前記薄膜トランジスタをターン−オフさせることと、
前記ストレージキャパシタに保存された電荷を再配置することと、
前記再配置された電荷を保存するストレージキャパシタに前記第２のストレージ電圧を印加することと、を含むことを特徴とする請求項１５に記載の液晶表示装置の駆動方法。
【発明の詳細な説明】
【技術分野】
【０００１】
本発明は、液晶表示装置に関し、より詳しくは、ドット反転駆動を実行する液晶表示装置及びその駆動方法に関する。
【背景技術】
【０００２】
一般的な液晶表示装置は液晶の光学的異方性と分極性質を利用する。特に、液晶表示装置の中で能動型液晶表示装置は、薄膜トランジスタ及び薄膜トランジスタに連結された画素電極を利用して液晶の分子配向を調節することができる。
【０００３】
その薄膜トランジスタのゲート端子には走査ラインが連結され、走査ラインを通じて印加される走査信号により薄膜トランジスタはオン/オフ動作を実行する。また、薄膜トランジスタの第１の電極にはデータラインが連結され、第２の電極には画素電極が連結される。また、画素電極と共通電極との間には液晶が介在され、その液晶は所定の密封剤により封合される。
【０００４】
また、薄膜トランジスタの第１の電極に連結されたデータラインを通じてデータ電圧が印加され、液晶分子の配向を一定期間の間に維持するためにストレージキャパシタが利用される。ストレージキャパシタは、画素電極と共通電極との間に配置され、液晶と並列に連結された回路的構成を有する。
【０００５】
通常、能動型液晶表示装置は、データラインを通じて印加されるデータ電圧と共通電極に印加される共通電圧との電圧差により液晶の分子配向が決定され、液晶の背面から発光される光源により所定のイメージがディスプレーされる。
【０００６】
しかし、画素電極と共通電極との間に注入された液晶は、ＤＣ電圧が一定時間以上印加される場合、特性の劣化が発生する。その特性の劣化を防止するためには液晶に印加される電圧の極性を周期的に変化させる極性反転方式が使用される。
【０００７】
極性反転方式には、フレーム反転(Ｆｒａｍｅ Ｉｎｖｅｒｓｉｏｎ)方式、ライン反転(Ｌｉｎｅ Ｉｎｖｅｒｓｉｏｎ)方式、熱反転(Ｃｏｌｕｍｎ Ｉｎｖｅｒｓｉｏｎ)方式及びドット反転(Ｄｏｔ Ｉｎｖｅｒｓｉｏｎ)方式などがある。
【０００８】
フレーム反転方式は、液晶に印加される共通電極と画素電極との間の電圧の極性がフレーム単位で反転される方式である。即ち、第１のフレームでは液晶に印加される電圧がすべての画素に対して(＋)極性を有し、第２のフレームでは液晶に印加される電圧がすべての画素に対して(−)極性を有する。しかし、このようなフレーム反転方式は連続されるフレームの間で透過率非対称現象が発生し、透過率非対称によるフリッカー現象が発生しやすい。また、隣接したデータの間の干渉によるクロストークに非常に脆弱であるという短所がある。
【０００９】
ライン反転方式は、液晶に印加される電圧が走査ライン単位で極性を異にする方式である。即ち、１フレーム内で奇数番目の走査ラインに配置された液晶に(＋)極性の電圧が印加される場合、偶数番目の走査ラインに配置された液晶には(−)極性の電圧が印加される。このようなライン反転方式は、隣接した走査ラインがお互いに反対の極性を有する。しかし、水平方向に配置された画素の間には同一極性の電圧分布が発生するようになって水平クロストーク(Ｈｏｒｉｚｏｎｔａｌ Ｃｒｏｓｓｔａｌｋ)が発生する問題点がある。
【００１０】
熱反転方式は、液晶に印加される電圧の極性がデータライン方向では同一であるが、走査ライン方向では反対極性の電圧が印加される方式である。この方式はライン反転方式により発生する水平クロストークが減少する長所があるが、隣接したデータラインの間に反対極性のデータ電圧を印加しなければならないので、高電圧が発生できるソースドライバーを具備する必要がある。
【００１１】
ドット反転方式は、上下左右のすべての方向で隣接した画素の間の電圧の極性が反対である。この方式を利用すれば、上述した極性反転方式と比較して一番優秀な画質を具現することができるが、電力消耗が大きい短所がある。
【００１２】
ドット反転方式は、共通電極に印加される共通電源の電圧を変更する方式を使用する。これについては、韓国公開特許第２００４−０００８６５２号公報に開示されている。共通電極に印加される共通電源を変更してドット反転を具現することは、画素のストレージキャパシタを共通電極に連結しなければならないという制約がある。
【発明の開示】
【発明が解決しようとする課題】
【００１３】
したがって、本発明は上述したような従来技術の問題点を解決するためになされたもので、その目的は、共通電極ラインとは別にストレージラインを具備してドット反転を実行する液晶表示装置を提供することにある。
【００１４】
また、本発明の他の目的は、共通電極ラインとは別に具備されたストレージラインを利用してドット反転を実行する液晶表示装置の駆動方法を提供することにある。
【課題を解決するための手段】
【００１５】
前記課題を解決するために、本発明の第１の観点によれば、映像をディスプレーするための画素と、前記画素に走査信号を供給するための走査ラインと、前記走査ラインと交差し、前記画素にデータ信号を供給するためのデータラインと、前記画素に共通電圧を供給するための共通電極ラインと、前記走査ラインと平行であり、ドット反転駆動を実行するためのストレージラインと、を含むことを特徴とする、液晶表示装置が提供される。
【００１６】
前記課題を解決するために、本発明の第２の観点によれば、走査ラインに連結されたゲートと、データラインに連結された第１の電極及びチャンネルを通じて前記データラインに印加されたデータ信号を受信するための第２の電極と、を有する薄膜トランジスタと、前記薄膜トランジスタの第２の電極に連結された画素電極と共通電極ラインの共通電極との間に介在された液晶と、前記薄膜トランジスタの第２の電極とストレージラインとに連結され、前記データ信号を保存するためのストレージキャパシタと、を含むことを特徴とする、液晶表示装置が提供される。
【００１７】
前記課題を解決するために、本発明の第３の観点によれば、薄膜トランジスタをターン−オンして、データラインを通じて伝達される第１のデータ電圧をストレージキャパシタに第１の画素電圧として保存することと、 前記薄膜トランジスタをターン−オフして、共通電極ラインとは別に具備されたストレージラインを通じて伝達される第１のストレージ電圧によって前記第１の画素電圧を上昇させることと、前記薄膜トランジスタをターン−オンして、前記データラインを通じて伝達される第２のデータ電圧を前記ストレージキャパシタに第２の画素電圧として保存することと、前記薄膜トランジスタをターン−オフして、前記ストレージラインを通じて伝達される第２のストレージ電圧によって前記第２の画素電圧を下降させることと、を含むことを特徴とする、液晶表示装置の駆動方法が提供される。
【発明の効果】
【００１８】
本発明によれば、共通電極ラインとは別にストレージラインを具備することによりストレージ信号をフレームごとに変更して画素の液晶に印加される極性を反転させることができる。したがって、共通電極ラインを通じてドット反転を実行する場合に比べて印加される電圧の幅を減少させることができ、ドット反転のために消耗される電力を減少させることができる。即ち、従来は、共通電極に印可される電圧と、データ電圧との電圧差によってドット反転を行うので、共通電極に印可される電圧を一定としてドット反転を行う場合、データ電圧は、例えば＋Ｖｄｄレベルから−Ｖｄｄレベルまで変更されなければならない。これに対し、本発明は、データ電圧とストレージラインに印可される電圧との電圧差によってドット反転を行うので、共通電極に印可される電圧が一定であっても、データ電圧は、例えば、＋Ｖｄｄレベルからグランドレベルまで変更すれば、ドット反転が実現される。なお、本発明は、共通電極の電圧を変更してドット反転を行う場合であっても、データ電圧は、例えば、＋Ｖｄｄレベルからグランドレベルまで変更すれば、ドット反転が実現される。さらに、本発明は、ストレージキャパシタを共通電極に連結する必要がない。
【発明を実施するための最良の形態】
【００１９】
以下、添付図面を参照しながら、本発明の好適な実施の形態について詳細に説明する。
【００２０】
図１は、本発明の好ましい実施形態による液晶表示装置を示す回路図である。
【００２１】
図１に示したように、本発明の実施形態による液晶表示装置は、垂直方向に伸張された多数のデータラインと、そのデータラインと交差して形成される多数の走査ラインと、を有する。各々のデータラインはソースドライバーに連結され、各々の走査ラインはゲートドライバーに連結される。
【００２２】
また、走査ラインは各々の画素に配置された薄膜トランジスタのゲートに連結され、データラインは薄膜トランジスタの第１の電極に連結される。走査ラインを通じて印加される走査信号により薄膜トランジスタはターン−オンされ、ターン−オンされた薄膜トランジスタの第１の電極を通じてデータ信号が液晶の画素電極に印加されると、画素電極に印加されたデータ電圧と共通電極に印可された共通電圧Ｖｃｏｍとの間の電圧差によって分子配列が決定される。分子配列の方向により液晶の光透過率が決定され、液晶を通過した光はカラーフィルターを通じて所定の色相を示すようになる。
【００２３】
また、本発明の実施形態による映像をディスプレーする方法は、順次駆動方式により実行することもできる。即ち、カラーフィルターの有無に関係なくバックライトがレッド、グリーン、ブルーの光源を各々具備し、所定の光透過率を有した液晶に光を照射する方式により実行することもできる。
【００２４】
画素電極はストレージキャパシタとも連結され、ストレージキャパシターは共通電極に連結されず別に具備されたストレージラインに連結される。好ましくは、ストレージラインは走査ラインと同一な方向に伸張するように形成され、一つの走査ライン当たり一つのストレージラインが具備される。
【００２５】
第ｎのストレージ信号ＣＳｎが印加されるｎ番目のストレージラインはｎ番目の走査ラインに連結された薄膜トランジスタのストレージキャパシタに交互に連結される。即ち、ストレージキャパシタＣＳｎ，ｋはストレージ信号ＶＣＳｎが印加されるｎ番目のストレージラインに連結され、ストレージキャパシタＣＳｎ，ｋ＋１はストレージ信号ＶＣＳｎ−１が印加されるｎー１番目のストレージラインに連結される。続いて、ストレージキャパシタＣＳｎ，ｋ＋２は前記ｎ番目のストレージラインに連結される。上述のように、各々のストレージラインにはストレージキャパシタが交互に連結される。
【００２６】
共通電極ラインは、各々の走査ラインに配置された液晶の共通電極に共通に連結される。したがって、一つの走査ライン当たり一つの共通電極ラインが具備される。また、各々の共通電極ラインは一つのノードに共通連結することができる。即ち、すべての画素の共通電極には共通電圧Ｖｃｏｍが印加される。
【００２７】
図２は、本発明の好ましい実施形態による画素駆動回路を示す回路図である。
【００２８】
図２に示したように、画素駆動回路は、薄膜トランジスタと、薄膜トランジスタに連結されたストレージキャパシタＣＳと、薄膜トランジスタとストレージキャパシタＣＳとに共通連結された液晶ＣＬＣと、画素電極と、共通電極と、を含む。
【００２９】
薄膜トランジスタのゲートには走査ラインを通じて走査信号ＶＧが印加され、薄膜トランジスタの第１の電極にはデータ電圧ＶＳが印加される。また、薄膜トランジスタの第２の電極にはストレージキャパシターＣＳ及び画素電極が連結される。したがって、第２の電極の電圧は画素電極の電圧と同一な値を有する。
【００３０】
ストレージキャパシタの一側端子は画素電極及び薄膜トランジスタの第２の電極と連結され、ストレージキャパシターの他側端子はストレージラインと連結され、ストレージラインを通じてストレージ信号ＶＣＳが印加される。
【００３１】
液晶の画素電極と共通電極との間には液晶ＣＬＣが介在される。共通電極には共通電極ラインを通じて共通電圧Ｖｃｏｍが印加される。
【００３２】
図３は、本発明の好ましい実施形態による画素駆動回路の動作を説明するためのタイミング図である。
【００３３】
以下、図３及び図２を参照して画素駆動回路の動作について説明する。
【００３４】
走査ラインを通じて走査信号ＶＧが印加されると、走査ラインに連結された画素駆動回路の薄膜トランジスタはターン−オンされる。即ち、薄膜トランジスタのゲートにしきい電圧以上の走査信号ＶＧが印加されることによって薄膜トランジスタはターン−オンされる。
【００３５】
薄膜トランジスタの第１の電極に印加されるデータ電圧ＶＳは接地レベルからＶ１レベルに上昇する。Ｖ１レベルに上昇した第１の電極の電圧により薄膜トランジスタのチャンネル領域を通じてストレージキャパシタ及び液晶の画素電極に電荷が供給される。
【００３６】
一方、共通電圧Ｖｃｏｍは、少なくとも１フレームの間に一定なＤＣレベルを維持する。好ましくは、レベルの変化なしに一定なレベルが維持され、液晶ＣＬＣによる階調表現はデータ電圧のレベル変化を通じて実現する。したがって、データ電圧のＶ１レベルは表現される階調によってそのレベルを相異にする。
【００３７】
また、ストレージキャパシタＣＳにはストレージラインが連結され、そのストレージラインを通じてストレージ信号ＶＣＳが印加される。薄膜トランジスタがターン−オンされているうちにストレージ信号ＶＣＳはローレベルを維持する。
【００３８】
薄膜トランジスタのターン−オンによりデータ電圧はストレージキャパシタＣＳ及び液晶ＣＬＣの画素電極に印加される。ストレージキャパシタＣＳが有するキャパシタンス及び液晶ＣＬＣが有するキャパシタンスにより画素電極の電圧Ｖｄは指数関数的に増加する。画素電極の電圧Ｖｄの増加率はストレージキャパシタンスと、液晶のキャパシタンスと、液晶の抵抗と、などにより決定される値に依存する。結局、画素電極の電圧Ｖｄはデータ電圧ＶＳが有するレベルであるＶ１まで上昇する。
【００３９】
続いて、走査信号はローレベルに下降し、薄膜トランジスタはターン−オフされる。薄膜トランジスタのターン−オフにより画素電極への電荷の流入は遮断される。また、液晶ＣＬＣ及びストレージキャパシタＣＳは共通電極とストレージラインとの間に直列連結された構造を有する。したがって、液晶ＣＬＣの画素電極に蓄積される電荷量とストレージキャパシタＣＳに蓄積される電荷量は実質的に同一でなければならない。したがって、薄膜トランジスタのターン−オフにより画素電極では電荷の再配置が行われる。電荷の再配置によって画素電極の電圧Ｖｄは下降する。
【００４０】
次に、ストレージラインを通じて印加されるストレージ信号ＶＣＳがハイレベルに遷移されると、画素電極の電圧Ｖｄは上昇する。ストレージ信号ＶＣＳのローレベルとハイレベルとの間の電圧差がＶｄdである場合、画素電極の電圧Ｖｄの上昇値△Ｖｄは、次の数式（１）のように表現される。
【数１】
2006235572.tif 000003
【００４１】
数式（１）において、ＣＳはストレージキャパシタンスを示し、ＣＬＣは液晶のキャパシタンスを示す。
【００４２】
画素電極の電圧Ｖｄは数式（１）に従って上昇し、液晶の分子配向は画素電極の電圧Ｖｄ及び共通電極の電圧Ｖｃｏｍによって決定される。所定の方向に配向された液晶にバックライトを通じて光を照射すれば、映像はディスプレーされる。
【００４３】
１フレームの映像がディスプレーされるうちに、一つの画素を構成する液晶の分子は配列状態を維持しなければならない。したがって、画素電極の電圧Ｖｄはレベルの低下なしに一定な値を維持する。ただ、実際の画素電極の電圧Ｖｄは漏れ電流などの影響により時間が経つによってそのレベルが多少減少する。しかし、このような減少値は無視できる程度の量である。
【００４４】
１フレームの映像のディスプレーが終了されると、オフされた薄膜トランジスタをターン−オンしてドット反転を実行する。このドット反転は液晶に印加される共通電極についての画素電極の電圧を反転する過程である。
【００４５】
まず、薄膜トランジスタのゲートにしきい電圧以上の走査信号を印加して薄膜トランジスタをターン−オンさせる。薄膜トランジスタのターン−オンとともに薄膜トランジスタの第１の電極に印加されるデータ電圧ＶＳはローレベルに下降する。そのデータ電圧ＶＳのローレベルは接地レベルであることが好ましい。また、データ電圧ＶＳがローレベルに降りる時点は薄膜トランジスタがターン−オンされる時点と同じとされることができ、薄膜トランジスタのターン−オンの直前または薄膜トランジスタがターン−オンされた時点とされても良い。
【００４６】
次に、薄膜トランジスタがターン−オンされて接地レベルのデータ電圧ＶＳが印加されると、画素電極に保存された電荷は薄膜トランジスタのチャンネル領域を通じてデータラインに移動する。したがって、画素電極の電圧Ｖｄは接地レベルに下降する。即ち、画素電極の電圧Ｖｄは指数関数的に減少する。
【００４７】
次に、薄膜トランジスタがターン−オフされると、薄膜トランジスタを通じて画素電極から薄膜トランジスタに流れる電荷の流出経路は遮断されて電荷の再配置が行われる。電荷の再配置により画素電極の電圧はさらに減少する。
【００４８】
次に、ストレージラインを通じて伝達されるストレージ信号ＶＣＳはローレベルに下降する。ストレージ電圧Ｖｄの下降により画素電極の電圧は減少する。減少された画素電極の電圧によって共通電極の電圧についての画素電極の電圧は負極性を有するようになる。即ち、ドット反転が実行される。
【００４９】
図４は、本発明の好ましい実施形態による液晶表示装置の動作を説明するためのタイミング図である。
【００５０】
図４に示したように、クロック信号に同期されて走査開始パルスＳＴ１が入力される。走査開始パルスＳＴ１はゲートドライバーに入力され、ゲートドライバーは入力される走査開始パルスＳＴ１をサンプリングして多数の走査信号を形成する。図４ではゲートドライバーが走査開始パルスＳＴ１をクロック信号ＣＬＫの上昇エッジでサンプリングするが、ゲートドライバーの構成によってクロック信号ＣＬＫの下降エッジでサンプリングしてもよい。
【００５１】
また、ゲートドライバーは走査信号を順次に発生するために内部にシフトレジスタを有する。したがって、各々の走査信号は先行する走査信号に１／２クロックずつ遅延されて出力される。また、シフトレジスタの構成によって各々の走査信号は先行する走査信号に１クロックずつ遅延されて出力されることもできる。
【００５２】
第１の走査信号ＶＧ１はクロック信号ＣＬＫの１周期の上昇エッジから出力され、第２の走査信号ＶＧ２はクロック信号ＣＬＫの１周期の下降エッジから出力される。
【００５３】
また、ストレージ開始パルスＳＴ２はクロック信号ＣＬＫの２周期の上昇エッジでサンプリングされる。ストレージ開始パルスＳＴ２のサンプリング及びストレージ信号の生成は、ゲートドライバーで実行でき、別のドライバーを具備して実行することもできる。
【００５４】
第１のストレージ信号ＶＣＳ1はクロック信号ＣＬＫの２周期の上昇エッジでハイレベルに遷移され、１フレームの間にハイレベルを維持する。また、第２のストレージ信号ＶＣＳ２はクロック信号ＣＬＫの２周期の下降エッジでローレベルに遷移され、１フレームの間にローレベルを維持する。第１のストレージ信号ＶＣＳ１は１フレームの間にハイレベルを維持した後、連続する以後の１フレームの間にローレベルを維持してドット反転を実行する。また、第２のストレージ信号ＶＣＳ２は１フレームの間にローレベルを維持した後、連続する以後の１フレームの間にハイレベルを維持してドット反転を実行する。
【００５５】
各々のストレージ信号は共通電極ラインと独立的に具備されたストレージラインを通じてストレージキャパシターに印加される。
【００５６】
図５は、本発明の好ましい実施形態による液晶表示装置を示すレイアウト図である。
【００５７】
図５に示したように、液晶表示装置は、多数の画素で構成される。各々の画素にはデータラインＤＡＴＡ及び走査ラインＳＣＡＮが連結される。図示しなかったが、データラインＤＡＴＡはソースドライバーに連結され、走査ラインＳＣＡＮはゲートドライバーに連結される。また、各々の画素にはストレージラインＳＴＬが連結される。ストレージラインＳＴＬは、画素のストレージキャパシタ１０５に連結されてストレージ信号を供給する。また、ストレージラインＳＴＬは、走査ラインＳＣＡＮと水平に配置され、ゲートドライバーに連結されるか別に具備されたドライバーに連結することもできる。ストレージラインＳＴＬは走査ラインＳＣＡＮの下部または上部に配置され、行ごとに配置された画素の間の領域に形成される。
【００５８】
ｎ番目の走査ラインＳＣＡＮｎは、画素の薄膜トランジスター１０３のゲートに連結される。薄膜トランジスタ１０３の第１の電極は、ｎ番目のデータラインＤＡＴＡｎに連結される。データラインＤＡＴＡｎは走査ラインＳＣＡＮｎに交差して形成される。
【００５９】
また、ｎ番目のストレージラインＳＴＬｎはストレージキャパシタ１０５に連結される。また、ストレージキャパシター１０５は液晶１０１の画素電極とも連結される。図５では、ストレージラインＳＴＬｎはコンタクトホールを利用してストレージキャパシタ１０５の上部電極と連結され、ストレージキャパシタ１０５の下部電極は液晶１０１の画素電極と連結される。このようなコンタクトホールを利用したストレージキャパシタ１０５の電極の配置及び構成方法は、実施方法によって多様に変更できる。
【００６０】
ストレージラインＳＴＬｎには、ストレージラインＳＴＬｎを中心として上部にある画素のストレージキャパシタと下部にあるストレージキャパシタが交互に連結される。即ち、上部の画素の中で偶数番目の列に該当する画素のストレージキャパシタがストレージラインＳＴＬｎに連結される場合、下部の画素の中で奇数番目の列にあたる画素のストレージキャパシタが前記ストレージラインＳＴＬｎに連結される。
【００６１】
上述のように、共通電極ラインとは別にストレージラインを具備することにより、ストレージラインに印加されるストレージ信号をフレームごとに変更してドット反転を実行することができる。
【００６２】
以上、添付の図面を参照しながら本発明の好適な実施の形態について説明したが、本発明は係る例に限定されない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００６３】
【図１】本発明の好ましい実施形態による液晶表示装置を示す回路図である。
【図２】本発明の好ましい実施形態による画素駆動回路を示す回路図である。
【図３】本発明の好ましい実施形態による画素駆動回路の動作を説明するためのタイミング図である。
【図４】本発明の好ましい実施形態による液晶表示装置の動作を説明するためのタイミング図である。
【図５】本発明の好ましい実施形態による液晶表示装置を示すレイアウト図である。
【符号の説明】
【００６４】
１０１  液晶
１０３  薄膜トランジスタ
１０５  ストレージキャパシタ
【図１】
2006235572.tif 000004
【図２】
2006235572.tif 000005
【図３】
2006235572.tif 000006
【図４】
2006235572.tif 000007
【図５】
2006235572.tif 000008